(57)【要約】【課題】中央入賞装置に入賞した遊技球を後送し、回転運動により上昇させることにより遊技者の興趣を惹きつけ、常に飽きのこない新鮮味溢れた中央入賞装置を提供することである。【解決手段】中央入賞装置１の下部に遊技機台前端から後端まで連続して設けられた溝を有すカバー１３で覆われた螺旋部材１２を回転自在に軸架し、該溝１３ｂに接し、螺旋部材１２に垂直で、螺旋部材１２の軸線上に中心を有し駆動源により回転する回転体１６の外周端部に保持部１７を設け、中央入賞装置１の上部に有る可動開閉羽根部材７から入賞し前記溝１３ｂにより後送されてきた遊技球を該保持部１７で上昇させ、特賞球案内路２４へと導く。【選択図】        図３
2004208822.tif 000002
【特許請求の範囲】
【請求項１】
遊技盤の遊技領域中の所定の入賞口に入賞すると所定回数開状態となり、該所定回数を経過すると元の状態へと復帰する左右一対の可動開閉羽根部材を備えて遊技球の流入し易さを制御し、内部には特別入賞口を配設し、該特別入賞口に遊技球が入賞すると遊技者に特典が付与されるパチンコ機の中央入賞装置において、該中央入賞装置の下部には、遊技球を移送するため機台前方側前端から機台後方側後端まで連続して溝を設けたカバーを上方に配置する螺旋部材を駆動源により回転自在とし、該螺旋部材の一端を機台前方側、多端を機台後方側に位置するよう水平に軸架し、該溝の機台後方端部に近接する位置に該螺旋部材に対し垂直且つ螺旋部材の軸線上に中心を有して回転する回転体を設け、該回転体は駆動源により回転し、外周端部に設けられた保持部内に遊技球が入ると該遊技球は回転により上昇し、前記特別入賞口に入賞するように構成したことを特徴とする中央入賞装置。
【請求項２】
上記の回転体の外周端部に設けられた保持部は少なくとも２つ以上設けられ、何れに入賞するかにより可動開閉羽根部材の開放される回数が異なるようにし、該保持部が後方に配置される特賞球案内路と連なる場合に保持部が特別入賞口の導入部分を構成したことを特徴とする請求項１記載の中央入賞装置。
【発明の詳細な説明】
【０００１】
【発明が属する技術分野】
本発明は遊技盤面に配設される中央入賞装置に関し、詳しくは中央入賞装置に入賞した遊技球を移送し遊技者の興趣を更に高める第二種のパチンコ機の中央入賞装置に関するものである。
【０００２】
【従来の技術】
第二種のパチンコ機において、遊技盤の遊技領域内の略中央域には左右一対の可動開閉羽根部材を上部に付設する中央入賞装置が配設される。そして中央入賞装置の可動開閉羽根部材は遊技盤下部にある始動口に入賞することで、一回開放する始動口に入賞した場合には一回、二回開放する始動口に入賞した場合には二回にわたって一定時間の間開放される。更に該可動開閉羽根部材が開放中に中央入賞装置内の特定入賞口に入賞すると大当りが発生し、遊技者に特典が付与されることとなる。尚、中央入賞装置には入賞したが、特定入賞口に入賞しなかった遊技球は普通入賞口へと導かれ、賞球として所定数の遊技球が払い出しされるが、大当りは発生せず特典も付与されることはない。
【０００３】
また、従来から第二種のパチンコ機の中央入賞装置１において、様々な様相を持ったものが提供されてきている。それらのうちの一つとして、中央入賞装置１の凹室２２内に螺旋部材１２、回転盤から成る振分装置（いずれも図示しない）を配設したものが挙げられる。遊技球は上方から下方へ向かって流下し、下部に設けられていた特別入賞口へ導かれるのが常であったが、この中央入賞装置においては、駆動源であるモーター（図示しない）により該螺旋部材１２及び回転盤を回転させ、中央入賞装置１の入凹室２２へ流入した遊技球を下方から上方へと揚送し、該揚送された遊技球を特定入賞口へ導くことが提案されていた（例えば、特許文献１参照。）。
【０００４】
更に、前述の螺旋部材１２を前記の特許文献１のように垂直に設けたのではなく水平に設けた中央入賞装置１も提供されている。これは中央入賞装置１の背面にモーター（図示しない）を配設し、回転軸（図示しない）を軸として設けられている螺旋部材１２と該螺旋部材１２の両側に位置する一対の可動翼片２５Ｌ、２５Ｒとを同心状に配置させ、モーターと該回転軸を連繋することにより、該可動翼片２５Ｌ、２５Ｒは螺旋部材１２の外周面に沿って交互に回転する、凹室２２へ落下してきた遊技球を該螺旋部材１２の機台後方側端部まで水平動させる。この可動翼片２５Ｌ、２５Ｒの動きにより、遊技球の落下位置は一定とならずに入賞口２６に入賞させることができる（例えば、特許文献２参照。）。
【０００５】
【特許文献１】
特開平１３−２９５６６号公報  （第６頁、第４図）
【特許文献２】
特開平７−２５５９１１号公報  （第４頁、第２図）
【０００６】
【発明が解決しようとする課題】
しかしながら、従来の特許文献１、特許文献２などにおける中央入賞装置は、凹室に入賞した遊技球は、垂直に配置された螺旋部材により単に上昇移送されるだけであったり、機台後方側に向かって水平移送されるのみで遊技者の興趣を高めるものではなく、次第に飽きがきてしまう可能性があった。よって本発明は上記不具合に鑑み、遊技球を螺旋部材により後方へ移送するとともに、該螺旋部材の後方端部に設けられた回転体により特定入賞口へ導くことで、常に遊技者の興趣を高めかつ飽きのこない、期待感を持って遊技を行うことが可能な遊技機の中央入賞装置を提供することを目的としている。
【０００７】
【課題を解決するための手段】
上記課題を解決するため本発明の採用した手段を以下に説明する。本発明請求項１記載の遊技機の中央入賞装置は、「遊技盤の遊技領域中の所定の入賞口に入賞すると所定回数開状態となり、該所定回数を経過すると元の状態へと復帰する左右一対の可動開閉羽根部材を備えて遊技球の流入し易さを制御し、内部には特別入賞口を配設し、該特別入賞口に遊技球が入賞すると遊技者に特典が付与される遊技機の中央入賞装置において、該中央入賞装置の下部には、遊技球を移送するため機台前方側前端から機台後方側後端まで連続して溝を設けたカバーを上方に配置する螺旋部材を駆動源により回転自在とし、該螺旋部材の一端を機台前方側、多端を機台後方側に位置するよう水平に軸架し、該溝の機台後方端部に近接する位置に該螺旋部材に対し垂直且つ螺旋部材の軸線上に中心を有して回転する回転体を設け、該回転体は駆動源により回転し、外周端部に設けられた保持部内に遊技球が入ると該遊技球は回転により上昇し、前記特別入賞口に入賞するように構成したことを特徴とする中央入賞装置」である。
【０００８】
「機台前方側前端から機台後方側後端まで連続して溝を設けたカバー」とは、螺旋部材と略相似形で外周面を覆う円筒形状をとり、上部に遊技球を移送可能な幅でカバーの機台前方側の前端から後端にかけて切除した溝を配設したカバーのことである。
【０００９】
「螺旋部材を駆動源により回転自在」とは、螺旋部材の軸が歯車を介してモーターと連繋し、時計方向へ回転するということである。尚、本発明の遊技機の中央入賞装置においては、ステッピングモーターを２箇所において使用する。
【００１０】
「水平に軸架」とは、螺旋部材が回転することにより遊技球が移送される遊技球の軌跡が直線状となり、該軌跡を視認可能となるように、該螺旋部材の一端をの軸をセンター本体の軸受け部に遊挿し、多端を機台後方側のステッピングモーターの歯車と軸支させることである。
【００１１】
「垂直且つ螺旋部材の軸線上に中心を有して回転する回転体を設け、該回転体は駆動源により回転」とは、遊技球を入賞可能な位置で、回転体の最下外周端が螺旋部材の機台後方側端面の最上外周端より僅かに下方位置にくるように垂設され、前記ステッピングモータにより時計方向に回転するということである。
【００１２】
「保持部」は、前記回転体の外周端部に設けられ、遊技球を受け入れ可能な略U字状に窪んだ形状である。
【００１３】
本発明の請求項２記載の遊技機の中央入賞装置は「上記の回転体の外周端部に設けられた保持部は少なくとも２つ以上設けられ、何れに入賞するかにより可動開閉羽根部材の開放される回数が異なるようにし、該保持部が後方に配置される特賞球案内路と連なる場合に保持部が特別入賞口の導入部分を構成したことを特徴とする請求項１記載の中央入賞装置」である。
【００１４】
「可動開閉羽根部材の開放される回数が異なる」とは、回転している回転体が所定の位置に至ると保持部から落下し、センサーを通過すると通過信号が図示しない制御装置に送られ、制御装置からソレノイドに対し異なった開放数の信号が送られることである。
【００１５】
「保持部が後方に配置される特賞球案内路と連なる場合に保持部が特別入賞口の導入部分を構成した」とは、保持部は螺旋部材とカバーに設けられた溝とにより遊技球が移送される過程で、遊技球が該溝から落下しアウト球とならず遊技球が運良く保持部に入賞した遊技球を、回転体が回転することにより上昇させ該回転体の背面にある特賞球案内路へと導き、該特賞球案内路の下部に設けたセンサーにより遊技球が感知されると大当りが発生し、遊技者にとって特典が付与される状況を作り出す特別入賞口の導入部分であるということである。
【００１６】
【発明の実施の形態】
本発明のパチンコ機の中央入賞装置の実施の形態を図１から図６を参考にして詳細に説明する。図１は本発明の中央入賞装置を具備した第二種パチンコ機の正面図、図２は本発明の中央入賞装置の正面図、図３は本発明の中央入賞装置の側断面図、図４は本発明の中央入賞装置の螺旋部材の説明図、図５は本発明の中央入賞装置の分解斜視図、図６は本発明の中央入賞装置の斜視図である。尚、従来の技術の項で説明した部品と同様の部品においては同じ符号を使用する。
【００１７】
パチンコ機の盤面上には図１で示すように、図示しない内レールと外レールにより遊技領域６ａが形成され、該遊技領域６ａ内には多数の障害釘（図示しない）、風車２、サイド表示ランプ３、入賞口４、始動口５など種々の遊技部品が配設され、遊技領域６ａの略中央に本発明の中央入賞装置１が配置される。
【００１８】
本発明に係る中央入賞装置１は、センター本体１１、下部前飾り１０、後カバー２１からなる。該センター本体１１には、最上部に天入賞口１１ｄ、中央部に後述の下部前飾り１０と後カバー２１とを連通する開口部１１ａが設けられ、該開口部１１ａの上部には左右一対の可動開閉羽根部材７と装飾のためのレンズ８とを支持するための軸受け部１１ｃ、螺旋部材１２を軸支するための軸受け部１１ｂが配設されている。後カバー２１は、前記センター本体１１の最上部の天入賞口１１ｄに入賞した遊技球を誘導するガイド板２１ｂと開口部２１ａとを備える。尚、天入賞口１１ｄに遊技球が入賞すると所定数の遊技球が賞球として払い出され、該天入賞口１１ｄに入賞した遊技球はガイド板２１ｂに誘導され遊技盤６裏面の集合盤（図示しない）に排出される。
【００１９】
センター本体１１上部の左右一対の可動開閉羽根部材７は、該可動開閉羽根部材７の下部にある軸受け部７ａに軸１３ｄを挿入することにより軸支される。遊技領域６ａ内に配置されている始動口５に入賞することで、可動開閉羽根部材７は外向きに傾斜して遊技球を受け入れやすくし、遊技者に有利となる第一状態と可動開閉羽根部材７がほぼ垂直に屹立し遊技球を受け入れない遊技者に不利となる通常の第二状態との二態様を合わせ持つ。本発明のパチンコ機においては、遊技盤６の最下域に３つの始動口（中央を５ａ、その両サイドを５ｂとする）を横一列上に並設し（図１参照）、始動口５ａに遊技球が入賞した場合は、前記可動開閉羽根部材７が２回開放され、始動口５ａの両サイドに配置される始動口５ｂに入賞した場合は１回開放される。該可動開閉羽根部材７はソレノイド１８を駆動源として開閉運動を行う。ソレノイド１８は、移動部品１８ｂとばね（図示しない）に固定されたプランジャー１８ａから形成され、該移動部品１８ｂは、一端部を可動開閉羽根部材７を軸支する軸１８ｄと連結したブッシュ１８ｃを固定している。ソレノイド１８が励磁状態になるとプランジャー１８ａが上昇してブッシュ１８ｃを回動させる。該ブッシュ１８ｃが回動するとブッシュに連結されている軸１８ｄも回転して、可動開閉羽根部材７が外向きに傾斜し、遊技球を受け入れやすい上記の第一状態となる。
【００２０】
前記可動開閉羽根部材７の下方には下部前飾り１０を備える。該下部前飾り１０は、中央に開口部１０ａ、上部に可動開閉羽根部材７が開放している間に入賞した遊技球を凹室２２に落下させるための僅かな傾斜角を有した上部スロープ１０ｂ、下部の凹室２２の入り口部分であり、後述のカバー１３の溝１３ｂへ遊技球を移乗させるための僅かな傾斜角を有した下部スロープ１０ｃが配設され、該上部スロープ１０ｂの機台後方端部下方のセンサー１５が中央入賞装置１に入賞した遊技球数を検知する。
【００２１】
中央入賞装置１の下方域には円筒形状の螺旋部材１２が水平方向に配設され、該螺旋部材１２の機台前方側端面の軸１２ａをセンター本体１１の軸受け部１１ｂに遊挿し、機台後方側端面の軸１２ａは歯車１９ａを介して駆動源であるモーター１９と固定され、一定速度で時計方向に回転運動を行う。螺旋部材１２の螺旋溝１２ｂの幅は遊技球を移乗させ、移送可能な幅であり、遊技球の直径を僅かに上回る長さに形成されている。また、螺旋部材１２の外周面を覆うような略相似形で、可動開閉羽根部材７から入賞した遊技球を後方へ移送するためのカバー１３が設けられ、カバー１３の機台前方側の前端部より後端部まで連続して溝１３ｂが配設されており、該溝１３ｂは遊技球の直径よりも大きな幅で形成される。該カバー１３の機台前方側端面には内部に螺旋部材１２の軸１２ａを遊挿させるための軸カバー１３ａが配設され、一方機台後方側端面には後送されてきた遊技球をアウト球排出路２３へと導くサイド溝１３ｃが形成される。
【００２２】
回転体１６は、遊技球を入賞可能な位置で、回転体１６の最下外周端が水平に軸架された螺旋部材１２の機台後方側端面の最上外周端より僅かに下方位置にくるように垂設され、また螺旋部材１２の軸線と回転体１６の軸線とが同一軸線上にあるように配置する。回転体１６の背面には特賞球案内路２４と該回転体１６に設けられる後述の保持部１７に対応した数（本実施例においては３ヶ）で横一列上に並んだセンサー１４ａ、１４ｂ、１４ｃとが夫々配置される。該回転体１６は所定の厚みを有する円柱形状で、外周端部には遊技球が１球収容可能な保持部１７を外周端部を３等分した位置に３ヶ有す。該回転体１６の後端部は駆動源であるモーター２０と固定した歯車２０ａに接続され、一定速度で時計回りに回転動する。 そして回転体１６の保持部１７は特別入賞口の導入部分となり、該保持部１７に入賞した遊技球を背面の特賞球案内路２４に導きセンサーで遊技球を感知されると大当りが発生し、遊技者に特典を付与する。
【００２３】
以上のような構成で、本発明のパチンコ機の中央入賞装置１は、遊技領域６ａ内の始動口５に入賞することによって、中央入賞装置１の上部に配置された可動開閉羽根部材７が開放される。そして開放された可動開閉羽根部材７から遊技球が入賞すると、下部前飾り１０の上部スロープ１０ｂから凹室２２の機台前方側の下部スロープ１０ｃへと落下し、螺旋部材１２を覆うカバー１３の溝１３ｂへと誘導され、機台後方側に後送される。後送された遊技球はアウト球排出路２３へと誘導されるか、回転体１６の保持部１７へ入賞し、該回転体１６が一定速度で回転することにより上昇し、所定の位置で保持部１７から特賞球案内路２４へと導かれ、該特賞球案内路２４下部にあるセンサー１４ａ、１４ｂ、１４ｃで入賞を検知し、遊技者に特典が付与される状況が発生する。
【００２４】
【発明の効果】
本発明によると、上述のようにパチンコ機の中央入賞装置を構成したので、以下のような効果を奏する。可動開閉羽根部材から入賞した遊技球を遊技機台前方から後方まで水平に配置されている螺旋部材を回転することにより移送し、該螺旋部材に対し垂直に設けられている回転体の保持部に収容した遊技球を上昇させ、特賞球案内路へと導くように構成されているので、従来の中央入賞装置とは異なり、遊技球の進行方向が変化し、またその変化する過程を視認することができるので、遊技者の興趣を飽きさせることなく遊技に惹きつけ、常に新鮮味を与えることが可能である。
【図面の簡単な説明】
【図１】本発明の中央入賞装置を具備した第二種パチンコ機の正面図である。
【図２】本発明の中央入賞装置の正面図である。
【図３】本発明の中央入賞装置の側断面図である。
【図４】本発明の中央入賞装置の螺旋部材の平面図である。
【図５】本発明の中央入賞装置の分解斜視図である。
【図６】本発明の中央入賞装置の斜視図である。
【図７】従来の中央入賞装置の正面図である。
【図８】従来の中央入賞装置の斜視図である。
【符号の説明】
１；中央入賞装置、２；風車、３；サイド表示ランプ、４；入賞口、５；始動口、５ａ；始動口、５ｂ；始動口、６；遊技盤、６ａ；遊技領域、７；可動開閉羽根部材、７ａ；軸受け部、８；レンズ、９；上部前飾り、１０；下部前飾り、１０ａ；開口部、１０ｂ；上部スロープ、１０ｃ；下部スロープ、１１；センター本体、１１ａ；開口部、１１ｂ；軸受け部、１１ｃ；軸受け部、１１ｄ；天入賞口、１２；螺旋部材、１２ａ；軸、１２ｂ；螺旋溝、１３；カバー、１３ａ；軸カバー、１３ｂ；溝、１３ｃ；サイド溝、１４ａ；センサー、１４ｂ；センサー、１４ｃ；センサー、１５；センサー、１６；回転体、１７；保持部、１８；ソレノイド、１８ａ；プランジャー、１８ｂ；移動部品、１８ｃ；ブッシュ、１８ｄ；軸、１９；モーター、１９ａ；歯車、２０；モーター、２０ａ；歯車、２１；後カバー、２１ａ；開口部、２１ｂ；ガイド板、２２；凹室、２３；アウト球排出路、２４；特賞球案内路、２５Ｌ；可動翼片、２５Ｒ；可動翼片、２６；入賞口。
【図１】
2004208822.tif 000003
【図２】
2004208822.tif 000004
【図３】
2004208822.tif 000005
【図４】
2004208822.tif 000006
【図５】
2004208822.tif 000007
【図６】
2004208822.tif 000008
【図７】
2004208822.tif 000009
【図８】
2004208822.tif 000010